(57)【要約】【課題】  安全性を確保すると共に、表示画像を明るくすることが可能な構成の投射型画像表示装置を提供する。【解決手段】  レーザー光１５を走査することにより、画像を表示するスクリーンに画像を投射する投射手段を備え、レーザー光１５が複数のレーザービームＲ１，Ｇ，Ｂ，Ｒ２により構成され、投射手段１３，１４により、複数のレーザービームＲ１，Ｇ，Ｂ，Ｒ２がスクリーン1の略同一場所において時間差を有してスクリーン１に照射され、各レーザービームＲ１，Ｇ，Ｂ，Ｒ２に印加される画像信号には、照射の時間差に合わせて、後続するレーザービームに対して先行のレーザービームが遅延するように時間差が設けられている投射型画像表示装置１０を構成する。【選択図】        図１
2005031529.tif 000002
【特許請求の範囲】
【請求項１】
レーザー光を走査することにより、画像を表示するスクリーンに画像を投射する投射手段を備え、
前記レーザー光が複数のレーザービームにより構成され、
前記投射手段により、前記複数のレーザービームのうち少なくとも２つのレーザービームが前記スクリーンの略同一場所において時間差を有して前記スクリーンに照射され、
各前記レーザービームに印加される画像信号には、照射の前記時間差に合わせて、後続する前記レーザービームに対して先行の前記レーザービームが遅延するように時間差が設けられている
ことを特徴とする投射型画像表示装置。
【請求項２】
前記複数のレーザービームの全てが、それぞれ時間差を有して前記スクリーンに照射されることを特徴とする請求項１に記載の投射型画像表示装置。
【請求項３】
前記投射手段において、軸の回りに回動する鏡面により前記レーザービームの走査がなされ、前記少なくとも２つのレーザービームの前記鏡面への入射角度をそれぞれ異ならせることにより、照射の前記時間差を生じる構成とされていることを特徴とする請求項１に記載の投射型画像表示装置。
【請求項４】
前記複数のレーザービームが、表示色の異なるレーザービームにより構成され、前記画像として、カラー画像が前記スクリーンに表示されることを特徴とする請求項１に記載の投射型画像表示装置。
【請求項５】
白色表示の際の各表示色のレーザー出力の比率を満足すると共に、各レーザービームの出力が均等になるように、各表示色のレーザービームの光源数が設定されていることを特徴とする請求項４に記載の投射型画像表示装置。
【請求項６】
前記表示色が、赤、緑、青であることを特徴とする請求項４に記載の投射型画像表示装置。
【請求項７】
前記複数のレーザービームにより、単色の画像表示が行われることを特徴とする請求項１に記載の投射型画像表示装置。
【発明の詳細な説明】
【技術分野】
【０００１】
本発明は、光源にレーザーを用いて画像の表示を行う投射型画像表示装置に係わる。
【背景技術】
【０００２】
大画面表示が可能な画像表示装置として、投射型画像表示装置、即ちいわゆるプロジェクタ装置が知られている。
【０００３】
そして、投射型画像表示装置において、映像信号による変調の容易さ、色再現性の良さ、明るさを充分に確保できる等の利点から、光源にレーザー光を用いて、レーザービームを走査することにより画像を表示することが考えられている（例えば、特許文献１参照）。
【０００４】
ところで、レーザー光は非常に小さい発光点から発光し、かつ発散角が小さい平行光であるため、その光を直接覗き込むと眼の網膜上に小さな点として集中し、そのレーザーパワーが大きいと眼の網膜に熱傷をもたらす性質を持っている。
【０００５】
そのため、レーザー光使用機器については、国際レーザー安全規格ＩＥＣ６０８２５シリーズ、及び各国のそれに準じた国内規格により、レーザー機器の製造者及び使用者に対する厳しい安全規格が設けられている。例えば、ＩＥＣ６０８２５−１では、レーザーパワーの大きさによってクラス１からクラス４までのクラス分類を行い、それぞれのクラスごとに、製造者及び使用者が守るべき指針を設けている。
【０００６】
レーザービームをスクリーン上に走査する画像表示装置の場合には、一旦スクリーンに当たって拡散反射されたレーザー光が、四方八方に拡散されるため、かなりの強度のレーザー（レーザークラス分類３Ｂ以下）でも安全であると確認されている。
【特許文献１】特開平３−６５９１６号公報
【発明の開示】
【発明が解決しようとする課題】
【０００７】
ところが、万一、誤ってスクリーンに照射される以前のレーザービームを直接見てしまった場合には、レーザービームの光量が大きいと、眼の網膜を熱傷する危険性がある。
【０００８】
この危険性は、レーザー光のエネルギー密度（Ｗ／ｍ２）、被爆時間、網膜上での像点の大きさに関係する。
【０００９】
そして、レーザー光のエネルギー密度（Ｗ／ｍ２）が高いほど、被爆時間が長いほど、網膜上での像点の大きさが小さいほど、熱傷の危険性が増大する。
【００１０】
ここで、国際レーザー安全委員会が決めた国際基準によると、レーザー光が直接眼に入射した場合の網膜における最大許容被爆量（ＭＰＥ）が規定されている。この最大許容被爆量（ＭＰＥ）とは、同委員会の様々な実験評価により、これ以下のレーザー光を浴びた場合には人の眼に障害が起こらないとした基準値である（以上、同委員会国際基準IEC60825-1 amend2 p31 Table 6 参照）。
【００１１】
そして、上述の国際基準において規定された最大許容被爆量のうち、可視光領域（波長４００ｎｍ〜７００ｎｍ）の数値を基に、最小感知像点サイズ以下の一定の網膜上像点に関して（上記Table でＣ６＝１とした最も厳しい条件；レーザー光源を最小の物点としたとき）、被爆時間と許容されるレーザー照射強度（エネルギー密度（Ｗ／ｍ２））との関係を図６に示す。
【００１２】
図６より、被爆時間が０．０５秒より短くなると、許容されるレーザー光強度が急激に大きくなるが、それより長い被爆時間領域では、被爆時間が伸びたとしても、許容されるレーザー光強度は、あまり低下しない。
【００１３】
つまり、傾向的にはレーザー被爆時間を短くするに従い、レーザー光による眼への危険性は低下するが、被爆時間が０．０５秒程度より長くなるに従い許容されるレーザー光強度の低下の減少が小さくなる。
【００１４】
このことから、被爆時間が０．０５秒程度より短い場合（例えば、単発のレーザー光照射）には、眼への照射可能時間を極力小さくすること、即ち、より短いパルス照射にすることにより安全性を高め得ることがわかる。
【００１５】
また、被爆時間が０．０５秒程度より長くなる場合（例えば、連続発振レーザー、パルス発振が連続するレーザー、及びレーザー光を周期的に走査する場合等）は、総積算被爆時間を短くするよりは、単位時間当たり、単位面積当たりのレーザー光強度（Ｗ／ｍ２）を小さくすることの方が効果的に、安全性を高め得ることがわかる。
【００１６】
以上の考察より、レーザー光を周期的に走査することにより画像表示する装置においては、観客が万一投射レーザー光を直接覗く場合の安全性を考えると、レーザー光強度（Ｗ／ｍ２）をできるだけ小さくすることが要請される。
【００１７】
従来のレーザー光走査でカラー画像を表示する装置では、このような見地からは設計されていない。
【００１８】
図７に従来のレーザー光走査カラー画像表示装置の概略図を例示する。
【００１９】
色の３原色である赤・緑・青の各色のレーザー光を映像信号で変調し、これら３色のレーザー光が一本のレーザービームに合波されて、投射レンズを通し走査ミラーにより走査してスクリーン上に画像を表示する。
【００２０】
この装置では、万一レーザービームが直接（スクリーンからの拡散反射光でなく）眼に入射した場合に、赤・緑・青それぞれのレーザービーム出力の合計量が同時に眼に入る。
【００２１】
スクリーン上における３色の色ずれ調整の簡便さからすると、この方式が良い。
【００２２】
しかしながら、上述の考察のように、レーザーの眼に対する安全性を考えると、この方式ではレーザー光強度（Ｗ／ｍ２）を大きくすることはできないため、結果として表示画像を明るくすることができない。
【００２３】
上述した問題の解決のために、本発明においては、安全性を確保すると共に、表示画像を明るくすることが可能な構成の投射型画像表示装置を提供するものである。
【課題を解決するための手段】
【００２４】
本発明の投射型画像表示装置は、レーザー光を走査することにより、画像を表示するスクリーンに画像を投射する投射手段を備え、レーザー光が複数のレーザービームにより構成され、投射手段により、複数のレーザービームのうち少なくとも２つのレーザービームがスクリーンの略同一場所において時間差を有してスクリーンに照射され、各レーザービームに印加される画像信号には、照射の時間差に合わせて、後続するレーザービームに対して先行するレーザービームが遅延するように時間差が設けられているものである。
【００２５】
上述の本発明の投射型画像表示装置の構成によれば、投射手段により、複数のレーザービームのうち少なくとも２つのレーザービームが時間差を有してスクリーンに照射されることにより、全てのレーザービームが１本に収束される場合と比較して、略同一場所における単位時間当たり、単位面積当たりのレーザー光強度を分散低下させることができる。
【００２６】
これにより、万一、人が直接レーザー光を見たときに、眼のレーザー光傷害の危険性を下げることが可能になる。
【００２７】
また、各レーザービームに印加される画像信号には、照射の時間差に合わせて、後続するレーザービームに対して先行するレーザービームが遅延するように時間差が設けられていることにより、スクリーンの同じ位置には同じ時刻の画像信号が表示されるため、画像の表示品質に影響を与えないようにすることが可能になる。
【発明の効果】
【００２８】
上述の本発明によれば、各レーザービームの照射されるタイミングに時間差が設けられているので、スクリーン上で複数のレーザービームが集中しないため、レーザービームが眼に直接入射した場合でも、網膜上に集中するレーザービームの像が形成されないようにすることができる。即ち、人に害を与えない程度のレーザービームとすることができる。
【００２９】
また、レーザービームが直接眼に入った場合の最大レーザー強度を、従来の構成よりも低減することもできる。
【００３０】
従って、眼に安全なレーザー走査画像表示装置の構築が可能になる。
【００３１】
さらに、スクリーンの同じ位置には同じ時刻の画像信号が表示されるため、観客に不満を与えずに安全性を確保することが可能になる。
【００３２】
これにより、従来の構成と同様の明るさで画像の表示を行う場合、より安全な投射型画像表示装置を構成することができる。
【００３３】
一方、従来の構成と同様の安全基準を遵守する場合、より明るい画像の表示を行うことが可能になる。
【００３４】
従って、本発明により、安全性を確保すると共に、表示画像を明るくすることが可能な投射型画像表示装置を実現することができる。
【００３５】
例えば、家庭用のレーザー機器はクラス１〜２の安全基準を満たすレーザー出力が求められるが、その安全基準内で充分明るい画像の表示を行うことが可能になる。
【発明を実施するための最良の形態】
【００３６】
本発明の一実施の形態の投射型画像表示装置の概略構成図を図１に示す。
【００３７】
この投射型画像表示装置１０は、図示しないレーザー光源からの、赤Ｒ１，Ｒ２・緑Ｇ・青Ｂの各色のスクリーン1の画面垂直方向に伸張されたレーザー光を用いて、これらのレーザー光Ｒ１，Ｒ２，Ｇ，Ｂを水平走査してスクリーン１に照射することにより、スクリーン１に画像を表示するものである。赤のレーザー光は、Ｒ１，Ｒ２と２本のレーザー光を使用している。
【００３８】
また、この投射型画像表示装置１０は、レーザー光源からの各色のレーザー光Ｒ１，Ｒ２，Ｇ，Ｂを1次元方向に長く伸ばされたレーザービームに変調するＧＬＶ（Grating Light  Valve ）素子１１と、レーザー光Ｒ１，Ｒ２，Ｇ，Ｂの光路を変えるためのミラー１２と、レーザー光Ｒ１，Ｒ２，Ｇ，Ｂを拡大照射するための投射レンズ１３と、レーザー光Ｒ１，Ｒ２，Ｇ，Ｂを走査させる走査鏡（Scanning Mirror ）１４とを備えている。
【００３９】
各色のレーザー光Ｒ１，Ｒ２，Ｇ，Ｂは、ＧＬＶ素子１１に照射されることにより変調された後に、ミラー１２、投射レンズ１３を経て、走査鏡１４によりスクリーン１の画面（画像表示領域）の水平方向に走査される。
【００４０】
これにより、スクリーン１の画面にカラー画像が表示される。
【００４１】
赤・緑・青のレーザービームＲ１，Ｒ２，Ｇ，Ｂは、図７に示した従来の構成と同様に、それぞれの映像信号によりレーザーパワーが変調される。その後、それぞれ異なる角度で走査鏡中心に入射（図４参照）し、走査鏡により走査しスクリーン上に画像を表示する。
【００４２】
本実施の形態の投射型画像表示装置１０は、要部の拡大平面図を図２に示すように、４本のレーザー光Ｒ１，Ｒ２，Ｇ，Ｂが途中で合波されることなく、別々に走査鏡１４に入射すると共に、４本のレーザー光Ｒ１，Ｒ２，Ｇ，Ｂの走査鏡１４の鏡面への入射角度がそれぞれ異なっている。
【００４３】
なお、走査鏡１４の鏡面での反射位置は同じであり、いずれのレーザー光Ｒ１，Ｒ２，Ｇ，Ｂも鏡面の軸中心にて反射するように入射させている。
【００４４】
これにより、第１の赤Ｒ１、緑Ｇ、青Ｂ、第２の赤Ｒ２の順に、スクリーン１上で走査されることになる（図４参照）。
【００４５】
しかしながら、図２に示すように各レーザー光Ｒ１，Ｇ，Ｂ，Ｒ２を構成して、そのまま単純にスクリーン１の画面に投射すると、スクリーン１上の画像は、赤・緑・青の画像が色ズレした状態で表示されてしまう。
【００４６】
そこで、本実施の形態の投射型画像表示装置１０では、さらに、ズレ分を補正するように、各レーザービームＲ１，Ｇ，Ｂ，Ｒ２の映像信号に時間差をつける。
【００４７】
このことを、図３を参照して説明する。なお、図３では、説明を簡単にするために、２本のレーザービームによって画像を表示するものとしている。
【００４８】
図３に示す第１のレーザービームＬＢ１及び第２のレーザービームＬＢ２において、スクリーン１上において時間差ΔＴに相当する位置ずれが生じるものとする。即ち、同一位相の画像信号により２本のレーザービームＬＢ１，ＬＢ２をそれぞれ変調すると、色ズレした状態で画像が表示される。
【００４９】
そこで、スクリーン１上で同一場所にて時間差ΔＴだけ早く走査されている第２のレーザービームＬＢ２を、時間差ΔＴだけ遅延させた画像信号で変調するようにして、これに対して、遅延されてない画像信号で変調された第１のレーザービームＬＢ１を照射する。
【００５０】
これにより、スクリーン１上での同一場所に、同一時刻の画像信号が表示される。
【００５１】
このとき、スクリーン１上で光っている時刻は、２本のレーザービームＬＢ１，ＬＢ２で時間差ΔＴだけ異なるが、この時間差ΔＴが眼の残像時間内であれば、第１のレーザービームＬＢ１と第２のレーザービームＬＢ２の画像信号が合成された画像として見える。
【００５２】
従って、従来の投射型画像表示装置の構成と同様の画像を観察することができる。
【００５３】
そして、上述の本実施の形態の投射型画像装置１０では、４本のレーザービームＲ１，Ｇ，Ｂ，Ｒ２をそれぞれ隣のレーザービームと時間差ΔＴでスクリーン１に照射されるようにすると共に、先行して照射されるレーザービームを時間差ΔＴだけ遅延させた画像信号で変調させるようにすればよい。
【００５４】
また、このように、各レーザービームＲ１，Ｇ，Ｂ，Ｒ２の照射タイミングに時間差を設けているため、スクリーン１の画像表示領域に対して、その水平方向両側端で時間差に対応してオーバースキャン（過走査）させるように構成する。具体的には、オーバースキャンさせるように走査鏡１４の回動範囲を設定する。
【００５５】
そして、例えば、フレーム周波数６０Ｈｚ、横方向の画素数が１９６０画素、走査効率が０．７のときに、時間差ΔＴを例えば約６μ秒くらいに設定すればよい。  
【００５６】
次に、レーザーの眼に対する安全性の見地から考察する。
【００５７】
本実施の形態の投射型画像装置１０の構成においては、図２に示したように、４本のレーザービームＲ１，Ｇ，Ｂ，Ｒ２が走査鏡１４にそれぞれ異なる角度で入射するので、図４に示すように４本のレーザービームＲ１，Ｇ，Ｂ，Ｒ２が、それぞれ異なるタイミングでスクリーンに照射される。これにより、４本のレーザービームＲ１，Ｇ，Ｂ，Ｒ２が、スクリーン１において集中しない。
【００５８】
従って、各レーザービームＲ１，Ｇ，Ｂ，Ｒ２が、スクリーンからの拡散反射光でなく、眼に直接入射した場合にも、同様に、網膜上に集中するレーザービームの像を作らない。
【００５９】
さらに、各レーザービームの時間差ΔＴを選定することにより、投射型画像表示装置１０から投射される複数のレーザービームＲ１，Ｒ２，Ｇ，Ｂのうち、瞳孔を照射するレーザービームがどれかひとつだけになるように、即ちあるレーザービームが瞳孔を通過した後に別のレーザービームが瞳孔に入射するように構成することも可能である。
【００６０】
なお、この構成は、投射型画像表示装置１０とスクリーン１との間の、レーザービームＲ１，Ｇ，Ｂ，Ｒ２が通過する空間において、人が近づきうる範囲を規定して、その範囲に対応した一部の領域で行うようにしてもよい。
【００６１】
このように構成すれば、網膜上でのレーザー光の集中による傷害だけでなく、同一時刻に眼に入射する総てのレーザー光を合計した強度のピーク値が及ぼす眼の傷害（例えば、視神経の傷害）の防止に対しても有効である。
【００６２】
このように構成するためには、各レーザービームＲ１，Ｇ，Ｂ，Ｒ２が、スクリーン１のある点に照射される時間帯が重ならないように時間差ΔＴを選定すればよいが、逆に照射される時間帯になるべく間が空かないように時間差ΔＴを選定することが望ましい。時間差ΔＴが大きく、照射される時間に間が空くようであると、画面全体の走査に要する時間が若干増えると共に、画像の時間によるずれが認識されることがあるからである。
【００６３】
また、上述の実施の形態では、２本の赤のレーザービームＲ１，Ｒ２を使用しているが、これは白色表示時の各色レーザー出力の比率を考慮して、個々のレーザー光源の出力を均等にするように、各色の光源数を調整したものである。
【００６４】
例えば、白表示の色合いを６５００°Ｋとした場合、必要となる赤・緑・青のレーザーパワーの比は２：１：１になる。このことにより、赤のレーザービーム光源を２本にすると、レーザービーム１本当たりの出力を低減することができるため、眼に入射するレーザー光強度（Ｗ／ｍ２）をさらに均一にして低減することができる。各レーザービームの照射に時間差を設けた場合において、各レーザーの出力が均等ではない場合には、最も出力の大きいレーザービームによって眼に入射する最大レーザー光強度が決まってしまうからである。
【００６５】
このように、白色表示時の各色レーザー出力の比率を考慮して、個々のレーザー光源の出力が均等になるように各色の光源数を調整することにより、眼に入射する最大レーザー光強度（Ｗ／ｍ２）を低減することもできる。
【００６６】
ここで、眼に入るレーザーパルスのレーザー強度の時間分布を、本実施の形態の構成と従来の構成とを比較して、図５に示す。図中Ａは本実施の形態の構成の場合を示し、Ｂは従来の構成の場合を示している。
【００６７】
上述したように４本のレーザービームＲ１，Ｇ，Ｂ，Ｒ２を構成することにより、図５に示すように、４本のレーザービームの照射タイミングが重なっていないので、最大レーザー強度が０．５（相対値）となり、従来の構成の最大レーザー強度２．０（相対値）の１／４になることがわかる。
【００６８】
上述の本実施の形態の投射型画像表示装置１０によれば、４本のレーザービームＲ１，Ｇ，Ｂ，Ｒ２をそれぞれ異なる角度で走査鏡１４に入射させて、スクリーン１上に照射されるタイミングに時間差ΔＴを設けていることにより、スクリーン１上で４本のレーザービームＲ１，Ｇ，Ｂ，Ｒ２が一度には照射されず集中しない。これにより、レーザービームＲ１，Ｇ，Ｂ，Ｒ２が眼に直接入射した場合でも、網膜上に集中するレーザービームの像が形成されないようにすることができる。即ち、人に害を与えない程度のレーザービームとすることができる。
【００６９】
従って、眼に安全なレーザー走査画像表示装置の構築が可能になる。
【００７０】
また、スクリーン１上に照射されるタイミングの時間差ΔＴの分だけ、各レーザービームを変調する変調信号に時間差を設けたことにより、具体的には先行するレーザービームを変調する変調信号を時間差の分だけ早めることにより、スクリーン１の同じ位置には同じ時刻の各色の画像信号が表示される。
【００７１】
従って、観客に不満を与えずに安全性を確保することが可能になる。
【００７２】
さらに、赤のレーザービームを２本Ｒ１，Ｒ２としているので、必要な白色を実現するために必要なレーザー出力を確保した上で、レーザービーム１本当たりのレーザービームの強度を低減することができる。そして、各レーザービームの照射されるタイミングに時間差が設けられているので、レーザービームが直接眼に入った場合の最大レーザー強度を、従来の構成よりも低減することができる。
【００７３】
これにより、従来の構成と同様の明るさで画像の表示を行う場合、より安全な投射型画像表示装置を構成することができる。眼に対して安全であるだけでなく、皮膚照射においても安全性を改善することができる。
【００７４】
一方、従来の構成と同様の安全基準を遵守する場合、より明るい画像の表示を行うことが可能になる。
【００７５】
従って、明るい画像の表示と、安全性とを共に実現することが可能になる。例えば家庭用のレーザー機器はクラス１〜２の安全基準を満たすレーザー出力が求められるが、その安全基準内で充分明るい画像の表示を行うことが可能になる。
【００７６】
なお、上述の実施の形態では、投射レンズ１３の後方に走査鏡１４を配置しているが、投射レンズを走査鏡の後方に配置した構成としてもよい。
【００７７】
また、上述の実施の形態において、４本のレーザービームＲ１，Ｇ，Ｂ，Ｒ２の走査の順序は、必ずしも限定されるものではなく、Ｒ１，Ｒ２，Ｇ，Ｂ等、他の順序で操作させても構わない。
【００７８】
また、上述の実施の形態では、赤Ｒ１，Ｒ２・緑Ｇ・青Ｂの三色のレーザービームの走査により画像表示する場合について説明したが、本発明は、三色のレーザービームを走査させて画像表示を行う装置に限定されず、その他の構成の画像表示装置にも適用することが可能である。
【００７９】
例えば、単色のレーザー光により単色画像を表示する投射型画像表示装置においても、そのレーザー光源を複数化して、同色のレーザービームを複数本形成すると共に、本発明を適用してこれら複数本のレーザービームをスクリーン上で時間差をもって走査し、そのスクリーン上のズレ分を補正するようにそれぞれのレーザー光源に印加する映像信号に時間差をつけることが可能である。
【００８０】
また、赤・緑・青３色のレーザービームだけではなく、さらに多くの単スペクトルレーザー光により色再現して、画像表示を行う構成としてもよい。この場合、スペクトルレーザー数の増加に応じてレーザー光源の数を増やして、上述したと同様の方法で、走査の時刻に時間差を設け、その時間差に応じた変調信号で変調させることにより、レーザーの眼に対する安全性を増加させることができる。
【００８１】
従って、複数本のレーザービームを使用して画像を行う構成であれば、同様に本発明を適用することができる。
【００８２】
また、さらにそれぞれのレーザービームを複数個に分割してもよい。
【００８３】
また、上述の実施の形態では、４本のレーザービームが全てスクリーン１への照射の時間差及び画像信号の時間差を有する構成であったが、複数のレーザービームのうち、少なくとも２本以上のレーザービームにおいて、スクリーンへの照射の時間差及び画像信号の時間差を有する構成とすれば、全てのレーザービームを収束して照射する構成と比較して、有利な効果を有する。
【００８４】
また、上述の実施の形態や図３では、レーザービームがスクリーンの同一場所において時間差を有して照射される構成として説明したが、少なくとも２つのレーザービームがスクリーンの略同一場所において時間差を有してスクリーンに照射される構成であれば、本発明の範囲に含まれる。
【００８５】
即ち、同一時刻の画像信号のレーザービームが照射される場所が、厳密に同一場所である構成に限らず、観察者が見る画像にほとんど影響しない程度の場所（位置）の違いを有する構成（略同一場所である構成）も本発明の範囲に含まれるものである。
【００８６】
本発明は、上述の実施の形態に限定されるものではなく、本発明の要旨を逸脱しない範囲でその他様々な構成が取り得る。
【図面の簡単な説明】
【００８７】
【図１】本発明の一実施の形態の投射型画像表示装置の概略構成図である。
【図２】図１の投射型画像表示装置の要部の拡大平面図である。
【図３】図１の投射型画像表示装置において、各レーザービームの映像信号に時間差をつけることを説明する図である。
【図４】図１の投射型画像表示装置で４本のレーザービームがスクリーンに照射される状態を示す図である。
【図５】眼に入るレーザーパルスのレーザー強度の時間分布を、本実施の形態の構成と従来の構成とを比較して示す図である。
【図６】被爆時間と許容されるレーザー照射強度との関係を示す図である。
【図７】従来の投射型画像表示装置の概略構成図である。
【符号の説明】
【００８８】
１  スクリーン、１０  投射型画像表示装置、１１  ＧＬＶ素子、１３  投射レンズ、１４  走査鏡
【図１】
2005031529.tif 000003
【図２】
2005031529.tif 000004
【図３】
2005031529.tif 000005
【図４】
2005031529.tif 000006
【図５】
2005031529.tif 000007
【図６】
2005031529.tif 000008
【図７】
2005031529.tif 000009